(57)【要約】      （修正有）【課題】矯正ローラの間隔の微細な調整ができる線状材料の矯正装置を提供する。【解決手段】材料通過経路を挟み、対向して千鳥に配置した少なくとも３個以上のローラ間を通過させることにより、線状材料の曲がり癖を矯正する線状材料矯正装置において、ハウジングに３個以上のマウント部材2が収容され、マウント部材2は通過経路に直交する方向に摺動自在とされ、各マウント部材2に１個のローラ3が自由回転自在に装架され、マウント部材2の摺動方向の一端側にバネ5が他端側に付勢するように介在され、マウント部材2の他端側に荒送りネジ棒11を係合させて、マウント部材2を摺動させるようにした荒調節部10が設けられる。微調節部20として、マウント部材摺動方向に直交する方向に細送りネジ棒21をケースを貫通させて設け、細送りネジ棒21にスライド楔部材23ｂを係合させ、固定スライド楔部材23ａを荒送りネジ棒に取り付けられる。【選択図】図２
2010269355.tif 000002
【特許請求の範囲】
【請求項１】
材料通過経路を挟み、対向して千鳥に配置した少なくとも３個以上のローラ間を通過させることにより、線状材料の曲がり癖を矯正する線状材料矯正装置において、
ローラ位置調整機構ための荒調節部と微調節部を持つ線状材料矯正装置。
【請求項２】
ハウジングに線状材料の通過経路に沿って、３個以上で複数個のマウント部材が収容され、マウント部材は通過経路に直交する方向に摺動自在とされ、各マウント部材に１個のローラが自由回転自在に装架され、マウント部材の摺動方向の一端側にバネが他端側に付勢するように介在され、マウント部材の他端側に荒送りネジ棒を係合させて、マウント部材を摺動させるようにしたローラ位置調整機構の荒調節部が設けられ、
ローラ位置調整機構の微調節部として、マウント部材摺動方向に直交する方向に細送りネジ棒をケースを貫通させて設け、細送りネジ棒にスライド楔部材を係合させ、固定スライド楔部材を荒送りネジ棒に取り付けられた請求項１記載の線状材料の矯正装置。
【請求項３】
前記荒調節部は送りネジ棒と回動量表示部を備え、
送りネジ棒は軸方向中間部より先端部がネジ部となり、末端側がスライド部となり、これらの境界部にフランジ状ストッパが設けられ、末端に回動のための頭が固定され、
回動量表示部において、送りネジ棒のスライド部を貫通させて、リング状固定部材がハウジングの端面に固定され、この固定部材に同心に対向するリング状回動部材が送りネジ棒のスライド部に嵌合固定され、固定部材に零点表示が設けられ、これに対応した回動量目盛りが回動部材に設けられている請求項２記載の線状材料の矯正装置。
【請求項４】
前記微調節部は１対の楔部材，送りネジ棒および回動量表示部を備え、
マウント部材摺動方向に直交する方向に微送りネジ棒をケースを貫通させて設け、微送りネジ棒にスライド楔部材を係合させ、固定スライド楔部材を荒送りネジ棒のストッパに位置決めさせた請求項２または３記載の線状材料の矯正装置。
【発明の詳細な説明】
【技術分野】
【０００１】
本発明は、線状材料の矯正装置に関する。
【背景技術】
【０００２】
従来のこの種のものとして「特許文献１」の技術は、ネジ棒とそれに螺合された調整用ナットと、ネジ棒の外側に同心的に配置され、かつ、保持体の上面と調整用ナットとの間に介在されたバネとにより構成されている。そして、バネのバネ力により保持体を下方に付勢して下側の矯正ローラと上側の矯正ローラとにより電線に荷重を付与する。また、バネのバネ力は、調整用ナットにより調整可能とされている。
【先行技術文献】
【特許文献】
【０００３】
【特許文献１】特開２００７−２２９７４５号公報
【発明の概要】
【発明が解決しようとする課題】
【０００４】
しかしながら、このような技術では材料の”くせ”によって、一回矯正してもその後も弾性復元力によって曲がりが生じてくる。このような材料に対しては、複数組の矯正装置を並べて、複数回の矯正工程を加えなければならない。それに加えて、最近はミクロン代の精度の厳しい要請が出されてきた。矯正時の矯正ローラに何トンという大きな力がかかる状態においては、矯正ローラの間隔調整に使われるボルトのネジピッチは細かくすることができない。このため、矯正ローラの調整に多大の時間がかかるようになってきている。
【０００５】
本発明は上記課題を解決し、矯正ローラの間隔の微細な調整ができる線状材料の矯正装置を提供することを目的とする。
【課題を解決するための手段】
【０００６】
本発明の課題解決手段は、材料通過経路を挟み、対向して千鳥に配置した少なくとも３個以上のローラ間を通過させることにより、線状材料の曲がり癖を矯正する線状材料矯正装置において、ローラ位置調整機構ための荒調節部と微調節部を持つ。
【０００７】
そして、次のような態様を含む。ハウジングに線状材料の通過経路に沿って、３個以上で複数個のマウント部材が収容され、マウント部材は通過経路に直交する方向に摺動自在とされ、各マウント部材に１個のローラが自由回転自在に装架され、マウント部材の摺動方向の一端側にバネが他端側に付勢するように介在され、マウント部材の他端側に荒送りネジ棒を係合させて、マウント部材を摺動させるようにしたローラ位置調整機構の荒調節部が設けられる。
【０００８】
ローラ位置調整機構の微調節部として、マウント部材摺動方向に直交する方向に細送りネジ棒をケースを貫通させて設け、細送りネジ棒にスライド楔部材を係合させ、固定スライド楔部材を荒送りネジ棒に取り付けられる。
【０００９】
前記荒調節部は送りネジ棒と回動量表示部を備え、送りネジ棒は軸方向中間部より先端部がネジ部となり、末端側がスライド部となり、これらの境界部にフランジ状ストッパが設けられ、末端に回動のための頭が固定される。回動量表示部において、送りネジ棒のスライド部を貫通させて、リング状固定部材がハウジングの端面に固定され、この固定部材に同心に対向するリング状回動部材が送りネジ棒のスライド部に嵌合固定され、固定部材に零点表示が設けられ、これに対応した回動量目盛りが回動部材に設けられている。
【００１０】
前記微調節部は１対の楔部材，送りネジ棒および回動量表示部を備え、マウント部材摺動方向に直交する方向に微送りネジ棒をケースを貫通させて設け、微送りネジ棒にスライド楔部材を係合させ、固定スライド楔部材を荒送りネジ棒のストッパに位置決めさせてある。
【発明の効果】
【００１１】
本発明では、矯正ローラの間隔の微細な調整ができることとなった。また、マウント部材の摺動方向の一端側にバネが他端側に付勢するように介在され、マウント部材の他端側に荒送りネジ棒を係合させて、マウント部材摺動方向に直交する方向に微送りネジ棒をケースを貫通させて設け、微送りネジ棒にスライド楔部材を係合させ、固定スライド楔部材を荒送りネジ棒に係合させた。このため、微送りネジ棒に大きな荷重を加えることなく、矯正ローラの間隔の微細な調整ができることとなった。
【図面の簡単な説明】
【００１２】
【図１】本発明の一実施例の正面図である。
【図２】図１のＹ２−Ｙ２断面図である。
【図３】図２のＹ３−Ｙ３断面図である。
【図４】図２の上部１８０度回転の分解斜視図である。
【発明を実施するための形態】
【００１３】
以下に本発明の一実施例を図面に基づいて説明する。
図１、２において、矩形（直方体）輪郭を呈するハウジング１に矯正ローラ３が装架されている。ハウジング１において、主壁１ａは直線状材料Ａの通過経路に平行な２辺と、それに直交する方向に平行な２辺とを持つ矩形板である。この周縁部に１対の縦壁（第１壁）１ｂと、１対の横壁（第２壁）１ｃとがネジで固定される。また、横壁に沿って、後記マウント部材２の収容空間を残して第３壁１ｄがネジで固定される。
【００１４】
ハウジング１内に直線状材料の通過経路に沿って、３個以上で複数個のマウント部材２が収容され、マウント部材は通過経路に直交する方向に摺動自在とされ、各マウント部材に１個のローラ３が自由回転自在に装架される。マウント部材の摺動方向の一端側にバネ穴２ａが設けられ、これにバネ５が他端側に付勢するように介在される。このように、材料通過経路を挟み、対向して千鳥に配置した少なくとも３つ以上（図示は上側に3個、下側に4個）のローラ間を通過させることにより、線状材料の曲がり癖を矯正する。
【００１５】
そして、荒調節部１０として送りネジ棒１１と回動量表示部１２が設けられる。マウント部材の他端側に荒送りネジ棒１１を係合させて、マウント部材を摺動させるようにしてある。送りネジ棒１１は軸方向中間部より先端側がネジ部１１ａとなり、末端側がスライド部１１ｂとなり、これらの境界部にフランジ状ストッパ１１ｃが設けられている。末端に回動のための六角頭１１ｄが固定される。マウント部材のバネ５の反対側にネジ孔２ｂが設けられ、これに送りネジ棒のネジ部１１ａがねじ込まれる。
【００１６】
回動量表示部１２において、送りネジ棒のスライド部１１ｂを貫通させて、リング状固定部材１２ａがハウジングの端面に固定される。そして、この固定部材に同心に対向するリング状回動部材１２ｂが送りネジ棒のスライド部１１ｂに嵌合して、止めネジ１２ｃで固定される。固定部材１２ａに零点表示が設けられ、これに対応した回動量目盛りが回動部材１２ｂに設けられる。
【００１７】
図２，３で微調節部２０として、１対の楔部材２３，送りネジ棒２１および頭部を兼ねる回動量表示部２２が設けられる。横壁１ｃの内側に荒送りねじ棒１１に直交する方向に長い矩形断面の溝１ｃａが、後方に貫通して設けられる。そして、溝１ｃａ内に突入するように、マウント部材摺動方向に直交する方向に、微送りネジ棒２１のスライド部２１ｂが横壁１ｃを貫通して、ストッパ２１ｃで抜け止めされて設けられる。
【００１８】
微送りネジ棒２１にスライド楔部材２３ｂをネジで係合させ、固定楔部材２３ａを荒送りネジ棒のストッパ１１ｂに位置決めさせる。楔面は荒送りネジ棒１１に直交する平面に対し傾斜している。楔部材２３は溝１ｃａ内に収容されて荒送りネジ棒１１を貫通させる。固定楔部材２３には丸孔、スライド楔部材２３ｂには荒送りネジ棒１１に直交する方向に長い俵状長孔が設けられ、スライドする。荒調節部１０，微調節部２０は各ローラ毎に設けられる。
【００１９】
以上において、作動状態を説明する。微調節部の送りネジ棒２１の回動位置を回動部材２２の目盛り”零点”に合わせておく。次に荒調節部の送りネジ棒１１を回動させ、矯正すべき材料Ａの太さに応じて、適正なローラ３の間隔を保持するように、回動量表示部１２の回動部材１２ｂの目盛りに合わす。その後、材料をローラ間に通した後、微調節部の送りネジ棒２１を回動部材２２の目盛りを見ながら回動させる。
【００２０】
これにより、スライド楔部２３ｂの溝１ｃａの側面と楔面に沿った移動で、荒送りネジ棒のストッパ１１ｂを介してマウント部材２が動き、矯正ローラ３の間隔が微調整されることになる。このとき、微調節部の送りネジ棒２１に働く力は、楔部材の楔面の働きにより、極めて小さくなる。従って、送りネジ棒２１のネジピッチは小さくできて、微調整が可能となる。
【００２１】
次に本装置の組み立ては以下のようになる。
ハウジング１の主壁１ａをテーブルの上に展延させて置く。マウント部材２にローラ３とローラ軸４を取り付ける。主壁１ａに第1壁１ｂ，１ｂを取り付ける。これらの壁に囲まれた区画に前記マウント部材２を並べる。マウント部材２の穴にバネ5を入れる。マウント部材２と第1壁１ｂとにわたって第3壁１ｄを取り付ける。
【００２２】
図４（図２で上側の第２壁１ｃを矢印１８０度回した状態の分解斜視図）において、次に、第2壁１ｃに荒調節部１０と微細調節部２０を仮組付けする。即ち、第2壁１ｃの荒調節部１０側の側面を下側にしてテーブル上に置く。一方楔部材２３ｂに微調節部２０の送りネジ棒２１ａをねじ込み、これと他方楔部材２３ａを楔面を合わせて、第2壁１ｃの溝内に入れる。このとき、ネジ棒２１のスライド部２１ｂを第2壁１ｃの孔を通して突出させ、この突出端部に回動量表示部２２を取り付ける。
【００２３】
次に、荒調節部１０の送りネジ棒１１のスライド部１１ｂを楔部材２３の孔を通して、第2壁１ｃの孔を通して突出させ、固定部材１２ａを通して、回動量表示部１２と頭部１１ｄを取り付ける。
【００２４】
そして、これらの第2壁１ｃに荒調節部１０と微調節部２０が仮組み付けされたものの全体を、前記主壁１ａ，第1壁１ｂ，第3壁１ｄおよびマウント部材２に組み付ける。このとき、荒送りネジ棒１１のネジ部１１ａをマウント部材２のネジ孔にねじ込んでいく。
【００２５】
本発明は前記した実施例や実施態様に限定されず、特許請求の精神および範囲を逸脱せずに種々の変形を含む。
【産業上の利用可能性】
【００２６】
本発明は、線状材料の矯正装置に利用される。
【符号の説明】
【００２７】
Ａ  直線状材料
１  ハウジング
１ａ  主壁
１ｂ  第１壁
１ｃ  第２壁
１ｄ  第３壁
２  マウント部材
３  ローラ
４  ローラ軸
５  バネ
１０  荒調節部
１１  送りネジ棒
１１ａ  ネジ部
１１ｂ  スライド部
１１ｃ  ストッパ
１２  回動量表示部
１２ａ  固定部材
１２ｂ  回動部材
１２ｃ  止めネジ
２０  微調節部
２１  送りネジ棒
２１ａ  ネジ部
２１ｂ  スライド部
２１ｃ  ストッパ
２２  回動量表示部
２３  楔部材
【図１】
2010269355.tif 000003
【図２】
2010269355.tif 000004
【図３】
2010269355.tif 000005
【図４】
2010269355.tif 000006